(57)【要約】【課題】キッチンやダイニングと階段部分との間で、コミュニケーションの機会を増やすことができると共に、キッチン、ダイニング等を効率良く屋内に配置できるキッチン一体型階段部構造を提供する。【解決手段】Ｌ字形状部分１９を含む折曲り階段１２と、下部階段１９ａからの突当り側に踊り場部１８を拡幅して設けられるスキップフロア２０と、スキップフロア２０と上部階段１９ｂとの角部分から上部階段１９ｂに対して垂直外側に延設する対面式キッチン台２１とからなる。スキップフロア２０と上部階段１９ｂとの角部分と対面式キッチン台２１とは角部仕切り壁２２によって仕切られている。下部階段１９ａの外側及びスキップフロア２０の外側は、腰壁２３ａ，２３ｂ，２３ｃによって仕切られている。スキップフロア２０の下方は、対面式キッチン台２１と対面して配置されるダイニングテーブル２４の一部を収納可能な収納空間２５となっいる。【選択図】図２
2010007413.tif 000002
【特許請求の範囲】
【請求項１】
踊り場部を挟んでＬ字形に垂直に折れ曲がるＬ字形状部分を含む折曲り階段と、該Ｌ字形状部分の下部階段からの突当り側に前記踊り場部を平面矩形状に拡幅して設けられるスキップフロアと、該スキップフロアと前記Ｌ字形状部分の上部階段との角部分から該上部階段に対して垂直外側に延設して設けられる対面式キッチン台とを含み、
前記スキップフロアと前記上部階段との角部分と前記対面式キッチン台とは角部仕切り壁によって仕切られていると共に、前記下部階段の外側及び前記角部仕切り壁に至るまでの前記スキップフロアの外側は、腰壁によって仕切られており、かつ前記スキップフロアの下方は、前記対面式キッチン台と対面して配置されるダイニングテーブルの一部を収納可能な高さを有する収納空間となっているキッチン一体型階段部構造。
【請求項２】
前記Ｌ字形状部分の前記折曲り階段の内側は、内側仕切り壁によって仕切られている請求項１に記載のキッチン一体型階段部構造。
【請求項３】
前記Ｌ字形状部分の前記折曲り階段の内側には、洗面台が設けられている請求項１又は２に記載のキッチン一体型階段部構造。
【請求項４】
前記上部階段の下方には、キッチン側から出入れ可能な収納庫が設けられている請求項１〜３のいずれかに記載のキッチン一体型階段部構造。
【請求項５】
前記下部階段の外側に沿った部分の前記スキップフロアの前記腰壁の下部には、壁面収容凹部が設けられている請求項１〜４のいずれかに記載のキッチン一体型階段部構造。
【発明の詳細な説明】
【技術分野】
【０００１】
本発明は、キッチン一体型階段部構造に関し、特に折曲り階段と対面式キッチン台とを含むキッチン一体型階段部構造に関する。
【背景技術】
【０００２】
近年、住宅建築物等の建物においては、様々な設計手法が取り入れられており、例えば折曲り階段の踊り場部や、折返し階段の踊り場部を拡大したり中間床と連続させて、これらの踊り場部と同じ高さの中間床部分を、家事コーナー、趣味コーナー、もてなしのスペース、昼寝や瞑想等のスペース、書斎、図書・読書コーナー等として有効利用できるうようにした階段部の構造が種々開発されている（例えば、特許文献１、特許文献２、特許文献３参照）。
【０００３】
一方、近年、キッチンで調理をする者と、ダイニングで食事をする者とが、会話をしながら調理をしたり食事したりできるようにする対面式キッチンと呼ばれるキッチンが採用され、居住者の間でコミュニケーションの機会を増やす工夫がなされている。
【特許文献１】特開平１１−３３６３４４号公報
【特許文献２】特開２０００−７３５１１号公報
【特許文献３】特開２００８−７５４２９号公報
【発明の開示】
【発明が解決しようとする課題】
【０００４】
しかしながら、キッチン、ダイニング、及び階段は、何れも、複数の居住者が互いに接触し易いスペースであるにもかかわらず、キッチンやダイニングと、階段とは、互いに離れた部分に設けられる場合が多く、これらを一体化させて、居住者同士のコミュニケーションの機会をより多く創出できるようにする工夫はなされていないのが現状である。また、キッチンやダイニングと、階段と一体化させて設けるには、例えば階段を昇降中の居住者が食事中の者の目に入ると、落ち着きのない状態になりやすいことから、このような事態に配慮した特別の工夫が必要である。
【０００５】
本発明は、キッチンやダイニングと階段部分との間で、居住者同士のコミュニケーションの機会を増やすことができると共に、キッチン、ダイニング、及び階段を効率良く屋内に配置することのできるキッチン一体型階段部構造を提供することを目的とする。
【課題を解決するための手段】
【０００６】
本発明は、踊り場部を挟んでＬ字形に垂直に折れ曲がるＬ字形状部分を含む折曲り階段と、該Ｌ字形状部分の下部階段からの突当り側に前記踊り場部を平面矩形状に拡幅して設けられるスキップフロアと、該スキップフロアと前記Ｌ字形状部分の上部階段との角部分から該上部階段に対して垂直外側に延設して設けられる対面式キッチン台とを含み、前記スキップフロアと前記上部階段との角部分と前記対面式キッチン台とは角部仕切り壁によって仕切られていると共に、前記下部階段の外側及び前記角部仕切り壁に至るまでの前記スキップフロア（踊り場を含む）の外側は、腰壁によって仕切られており、かつ前記スキップフロアの下方は、前記対面式キッチン台と対面して配置されるダイニングテーブルの一部を収納可能な高さを有する収納空間となっているキッチン一体型階段部構造を提供することにより、上記目的を達成したものである。
【０００７】
そして、本発明のキッチン一体型階段部構造は、前記Ｌ字形状部分の前記折曲り階段の内側が、内側仕切り壁によって仕切られていることが好ましい。
【０００８】
また、本発明のキッチン一体型階段部構造は、前記Ｌ字形状部分の前記折曲り階段の内側には、洗面台が設けられていることが好ましい。
【０００９】
さらに、本発明のキッチン一体型階段部構造は、前記上部階段の下方には、キッチン側から出入れ可能な収納庫が設けられていることが好ましい。
【００１０】
さらにまた、本発明のキッチン一体型階段部構造は、前記下部階段の外側に沿った部分の前記スキップフロアの前記腰壁の下部には、壁面収容凹部が設けられていることが好ましい。
【００１１】
そして、本発明のキッチン一体型階段部構造によれば、折曲り階段の踊り場部を平面矩形状に拡幅してスキップフロアが設けられているので、このスキップフロアを例えばスタディコーナー、家事コーナー、趣味コーナー、書斎、図書・読書コーナー等として使用することにより、折曲り階段の途中に居住者が長時間居易くして、キッチンやダイニングに居る居住者とのコミュニケーションを容易に図れるようにすることが可能になる。
【００１２】
また、スキップフロアと上部階段との角部分と、対面式キッチン台とは角部仕切り壁によって仕切られているので、この角部仕切り壁の内側に対面式キッチン台のガスコンロ等の加熱器機や排気装置等を配置することにより、調理時の熱や煙等によってスキップフロアに居る居住者に悪影響を及ぼすことがないようにすることが可能になる。
【００１３】
さらに、下部階段の外側、及び角部仕切り壁に至るまでの踊り場を含むスキップフロアの外側は、腰壁によって仕切られているので、高さの低い腰壁の上方部分を介して、スキップフロアに居る居住者と、キッチンやダイニング等に居る居住者とが、直接顔を合わせながら、より親密なコミュニケーションをとることが可能になる。
【００１４】
さらにまた、スキップフロアの下方は、対面式キッチン台と対面して配置されるダイニングテーブルの一部を収納可能な高さを有する収納空間となっているので、例えば食事等をする居住者の人数や使用目的等に応じてダイニングでのダイニングテーブルの大きさ調整できるようにして、ダイニングの利便性を向上させることが可能になる。
【００１５】
また、本発明のキッチン一体型階段部構造によれば、折曲り階段のＬ字形状部分の内側を、内側仕切り壁によって仕切っておけば、この内側仕切り壁によって仕切られた外側のスペースを、水廻り部や居室部等として有効利用できると共に、こられらの水廻り部や居室部等のスペースを、階段やキッチンから効果的に遮った状態で配置することが可能になる。
【００１６】
さらに、本発明のキッチン一体型階段部構造によれば、折曲り階段のＬ字形状部分の内側に洗面台を設けておけば、折曲り階段の外側のスペースを洗面室として有効利用することが可能になる。
【００１７】
さらにまた、本発明のキッチン一体型階段部構造によれば、上部階段の下方には、キッチン側から出入れ可能な収納庫を設けておけば、この収納庫をキッチンに隣接するキッチン収容として用いることにより、キッチンの利便性を向上させることが可能になる。
【００１８】
また、本発明のキッチン一体型階段部構造によれば、下部階段の外側に沿った部分のスキップフロアの腰壁の下部に、壁面収容凹部を設けておけば、この壁面収容凹部を、例えば暖房器等を邪魔にならないように設置しておくためのスペースとして有効利用することが可能になる。
【発明の効果】
【００１９】
本発明のキッチン一体型階段部構造によれば、キッチンやダイニングと階段部分との間で、居住者同士のコミュニケーションの機会を増やすことができると共に、キッチン、ダイニング、及び階段を効率良く屋内に配置することができる。
【発明を実施するための最良の形態】
【００２０】
本発明の好ましい一実施形態に係るキッチン一体型階段部構造１０は、図１（ａ），（ｂ）に示すように、建物として例えば２階建ての住宅建築物１１において、中央部分よりもやや北寄りの部分に、４方の外壁から離間した状態で設けられる。本実施形態のキッチン一体型階段部構造１０は、住宅建築物１１の１階部分１１ａ（図１（ａ））と２階部分１１ｂ（図１（ｂ））との間で、折曲り階段１２を介して居住者が昇降できるようにすると共に、当該キッチン一体型階段部構造１０を中心として、これの周囲に、キッチン１３、ダイニング１４、リビング１５、ホール１６、洗面室１７等を、効率良く配置できるようにするものである。
【００２１】
そして、本実施形態のキッチン一体型階段部構造１０は、図２〜図４にも示すように、踊り場部１８を挟んでＬ字形に垂直に折れ曲がるＬ字形状部分１９を含む折曲り階段１２と、Ｌ字形状部分１９の下部階段１９ａからの突当り側に踊り場部１８を平面矩形状に拡幅して設けられるスキップフロア２０と、このスキップフロア２０とＬ字形状部分１９の上部階段１９ｂとの角部分から上部階段１９ｂに対して垂直外側に延設して設けられる対面式キッチン台２１とを含み、スキップフロア２０と上部階段１９ｂとの角部分と対面式キッチン台２１とは角部仕切り壁２２によって仕切られていると共に、下部階段１９ａの外側、及び踊り場部１８を含む角部仕切り壁２２に至るまでのスキップフロア２０の外側は、腰壁２３ａ，２３ｂ，２３ｃによって仕切られており、かつスキップフロア２０の下方は、対面式キッチン台２１と対面して配置されるダイニングテーブル２４の一部を収納可能な、例えば８０ｃｍ程度の高さを有する収納空間２５となっている。
【００２２】
本実施形態によれば、住宅建築物１１の１階部分１１ａの間取りとしては、図１（ａ）に示すように、南側に面した東側の角部分には、ポーチ２６を介して出入可能な風除室２７及び玄関２８が設けられ、玄関２８の北側には、ホール１６が設けられている。ホール１６の北側には、トイレ２９、及び１階部分１１ａの北東の角部に配置される浴室３０が設けられている。ホール１６、玄関２８、及び風除室２７の西側には、リビング１５が設けられており、リビング１５の西側には、１階部分１１ａの南西の角部分に配置されてウッドデッキ３１が設けられている。
【００２３】
そして、本実施形態では、リビング１５及びウッドデッキ３１の北側に配置されて、キッチン一体型階段部構造１０が設けられており、これによってキッチン一体型階段部構造１０のスキップフロア２０の西側には、１階部分１１ａの西側の外壁との間にダイニング１４が設けられると共に、キッチン一体型階段部構造１０の対面式キッチン台２１の北側には、１階部分１１ａの北西の角部分に配置されて、キッチン１３が設けられる。また、キッチン一体型階段部構造１０の折曲り階段１２の北側及び東側には、浴室３０やトイレ２９との間に配置されて、洗面室１７が設けられる。
【００２４】
キッチン一体型階段部構造１０の折曲り階段１２を介してホール１６から昇降可能な住宅建築物１１の２階部分１１ｂの間取りとしては、図１（ｂ）に示すように、折曲り階段１２の昇降口の廊下３１を挟んだ東側に、ブックコーナー３２が設けられている。
【００２５】
なお、本実施形態では、キッチン一体型階段部構造１０の折曲り階段１２は、Ｌ字形状部分１９の上部階段１９ｂの上部が曲折階段部３３となっており、この曲折階段部３３の上端部と接続して、下部階段１９ａの北側に上部接続階段３４が設けられており、この上部接続階段３４を介して２階部分１１ｂのフロアと接続されるようになっている。また、キッチン一体型階段部構造１０の折曲り階段１２及びスキップフロア２０の上方は、２階部分１１ｂの天井部に至る吹抜け部３５となっており（図２参照）、この吹抜け部３５の周囲を囲むようにして、２階部分１１ｂには、吹抜け部腰壁３６が設けられている。
【００２６】
本実施形態では、２階部分１１ｂの吹抜け部３５の南側には、廊下３１を挟んで寝室３７が設けられている。寝室３７の東側部分には、上述のブックコーナー３２の南側に配置されて、ウォークインクロゼット３８が設けられており、ウォークインクロゼット３８の南側には、２階部分１１ｂの南東の角部に位置して、寝室３７から出入り可能なバルコニー３９が設けられている。
【００２７】
ブックコーナー３２の北側には、２階部分１１ｂの北東の角部に位置して、納戸４０が設けられており、納戸４０の西側には、廊下３１を挟んで吹抜け部３５の北側に位置して、２階トイレ４１が設けられている。また、吹抜け部３５の西側には、吹抜け部３５の北側及び南側の廊下３１の突き当り部分に配置されて、第１子供部屋４２及び第２子供部屋４３が、互いに出入り可能に設けられている。
【００２８】
そして、本実施形態では、上述のように、住宅建築物１１の中央部分よりもやや北寄りの部分に、Ｌ字形状部分１９を含む折曲り階段１２と対面式キッチン台２１とが一体となったキッチン一体型階段部構造１０が設けられている。キッチン一体型階段部構造１０には、図２〜図４に示すように、折曲り階段１２のＬ字形状部分１９の下部階段１９ａからの突当り側に、踊り場部１８を平面矩形状に拡幅して、スキップフロア２０が設けられている。またこのスキップフロア２０とＬ字形状部分１９の上部階段１９ｂとの角部分から、上部階段１９ｂに対して垂直外側に延設して、対面式キッチン台２１が設けられている。
【００２９】
キッチン一体型階段部構造１０を構成する折曲り階段１２は、踊り場部１８と、踊り場部１８を挟んだＬ字形状部分１９の下部階段１９ａ及び上部階段１９ｂと、上部階段１９ｂの曲折階段部３３の上端部と接続して、下部階段１９ａの折返し位置に配置される上部接続階段３４とからなる（図１（ａ），（ｂ）参照）。また、本実施形態では、Ｌ字形状部分１９の折曲り階段１２の内側は、１階の床部から立ち上がる内側仕切り壁４４によって仕切られており、この内側仕切り壁４４の内側には、洗面室１７の洗面台４５が設けられている（図１（ａ）参照）。
【００３０】
さらに、折曲り階段１２の踊り場部１８から、下部階段１９ａからの突当り側に張り出すようにして、平面矩形状のスキップフロア２０が、踊り場部１８と同じ高さ位置に中間床として設けられている。本実施形態では、スキップフロア２０には、スタディテーブル４６、椅子、本棚等が配置されていて、当該スキップフロア２０を例えばスタディコーナーとして用いることができるようになっている。また下部階段１９ａの外側、及び角部仕切り壁２２に至るまでの踊り場部とスキップフロア２０の外側は、腰壁２３ａ，２３ｂ，２３ｃによって仕切られている。
【００３１】
ここで、踊り場部１８及び下部階段１９ａの外側の腰壁２３ａは、踊り場部１８の腰壁高さを基準にした同じ高さで、１階の床部から立設して正面視矩形形状に設けられている。下部階段１９の外側に沿った延長上の部分においてスキップフロア２０の外側に配置される腰壁２３ｂは、踊り場部１８及び下部階段１９ａの腰壁２３ａよりも厚さが厚く、１階の床部から立設して設けられていると共に、この腰壁２３ｂのスキップフロア２０よりも下方の部分の外壁面には、内側に窪んだ矩形形状の壁面収容凹部４７が設けられている。下部階段１９ａからの突当り側にダイニング１４に面して外側に配置される腰壁２３ｃは、スキップフロア２０よりも下方の部分が開口部となっており、これによってスキップフロア２０の下方には、ダイニング１４に配置されるダイニングテーブル２４の一部を収納可能な高さを有する収納空間２５が形成されることになる。
【００３２】
また、本実施形態では、ダイニング１４に面する腰壁２３ｃの内側面から、角部仕切り壁２２のスキップフロア２０に面した部分に亘って、Ｌ字平面形状のスタディテーブル４６が取付けられていると共に、厚さの厚い腰壁２３ｂの内側面のスキップフロア２０よりも上方の部分には、当該内側面を凹状に窪ませて、整理棚４８が設けられている。
【００３３】
スキップフロア２０と上部階段１９ｂとの角部分と、対面式キッチン台２１とを仕切る角部仕切り壁２２は、１階の床部から立設すると共に、吹抜け部３５を通過して２階部分１１ｂの天井部に至る部分を含んで構成されている。角部仕切り壁２２のキッチン１３に面した内側には、対面式キッチン台２１のガスコンロ等の加熱器機４９や排気装置５０等が配置されている。また、角部仕切り壁２２の上部階段１９ｂに沿った部分と、内側仕切り壁４４の上部階段１９ｂに沿った部分との間には、上部階段１９ｂの下方の空間を利用した収納庫５１（図１（ａ）参照）が設けられており、この収納庫５１は、キッチン１３側から出入れ可能となっている。
【００３４】
そして、上述の構成を有する本実施形態のキッチン一体型階段部構造１０によれば、キッチン１３やダイニング１４と階段部分との間で、居住者同士のコミュニケーションの機会を増やすことができると共に、キッチン１３、ダイニング１４、階段１２等を効率良く屋内に配置することが可能になる。
【００３５】
すなわち、本実施形態によれば、折曲り階段１２の踊り場部１８を平面矩形状に拡幅してスキップフロア２０が設けられているので、このスキップフロア２０を例えばスタディコーナー等として使用することにより、折曲り階段１２の途中に居住者が長時間居易くして、キッチン１３やダイニング１４に居る居住者とのコミュニケーションを容易に図れるようにすることが可能になる。
【００３６】
また、スキップフロア２０と上部階段１９ｂとの角部分と、対面式キッチン台２１とは角部仕切り壁２２によって仕切られているので、この角部仕切り壁２２の内側に対面式キッチン台２１のガスコンロ等の加熱器機４９や排気装置５０等を配置することにより、調理時の熱や煙等によってスキップフロア２０に居る居住者に悪影響を及ぼすことがないようにすることが可能になる。
【００３７】
さらに、下部階段１９ａの外側、及び角部仕切り壁２２に至るまでの踊り場１８を含むスキップフロア２０の外側は、腰壁２３ａ，２３ｂ，２３ｃによって仕切られているので、高さの低い腰壁２３ａ，２３ｂ，２３ｃの上方部分を介して、スキップフロア２０に居る居住者と、キッチン１３やダイニング１４に居る居住者とが、直接顔を合わせながら、より親密なコミュニケーションをとることが可能になる。
【００３８】
さらにまた、スキップフロア２０の下方は、対面式キッチン台２１と対面して配置されるダイニングテーブル２４の一部を収納可能な高さを有する収納空間２５となっているので、例えば食事等をする居住者の人数や使用目的等に応じてダイニング１４でのダイニングテーブル２４の大きさ調整できるようにして、ダイニング１４の利便性を向上させることが可能になる。
【００３９】
また、本実施形態によれば、折曲り階段１２のＬ字形状部分１９の内側が、内側仕切り壁４４によって仕切られているので、この内側仕切り壁４４によって仕切られた外側のスペースを、例えば洗面室１７等として有効利用できると共に、洗面室１７等のスペースを、階段１２やキッチン１３から効果的に遮った状態で配置することが可能になる。
【００４０】
さらに、本実施形態によれば、折曲り階段１２のＬ字形状部分１９の内側に洗面台４５を設けられているので、折曲り階段１２の外側のスペースを洗面室１７として有効利用することが可能になる。
【００４１】
さらにまた、本実施形態によれば、上部階段１９ｂの下方には、キッチン１３側から出入れ可能な収納庫５１が設けられているので、この収納庫５１をキッチン１３に隣接するキッチン収容として用いることにより、キッチン１３の利便性を向上させることが可能になる。
【００４２】
また、本実施形態によれば、厚さの厚いスキップフロア２０の外側の腰壁２３ｂの下部に、壁面収容凹部４７が設けられているので、この壁面収容凹部４７を、例えば暖房器５２等を邪魔にならないように設置しておくためのスペースとして有効利用することが可能になる。
【００４３】
さらに、本実施形態によれば、キッチン一体型階段部構造１０は、４方の外壁から離間した状態で、屋内の略中央部分に設けられているので、上述のように、このキッチン一体型階段部構造１０を中心として、これの周囲に、折曲り階段１２、キッチン１３、ダイニング１４、リビング１５、ホール１６、洗面室１７等を、効率良く配置することが可能になる。
【００４４】
なお、本発明は上記実施形態に限定されることなく種々の変更が可能である。例えば、折曲り階段のＬ字形状部分の内側を、内側仕切り壁によって仕切る必要は必ずしも無く、Ｌ字形状部分の内側に、洗面台を設ける必要は必ずしもない。折曲り階段のＬ字形状部分の上部階段は、曲折階段部や上部接続階段を介することなく、直線状に延設して２階部分に直接接続するものであっても良い。
【図面の簡単な説明】
【００４５】
【図１】（ａ）は本発明の好ましい一実施形態に係るキッチン一体型階段部構造を備える建物の１階部分の間取り図、（ｂ）は２階部分の間取り図である。
【図２】本発明の好ましい一実施形態に係るキッチン一体型階段部構造の構成を説明する、図１（ａ）のＡ−Ａに沿った要部略示断面図である。
【図３】本発明の好ましい一実施形態に係るキッチン一体型階段部構造の構成を説明する、図１（ａ）のＢ−Ｂに沿った要部略示断面図である。
【図４】本発明の好ましい一実施形態に係るキッチン一体型階段部構造の構成を説明する要部略示斜視図である。
【符号の説明】
【００４６】
１０  キッチン一体型階段部構造
１１  住宅建築物（建物）
１１ａ  住宅建築物の１階部分
１１ｂ  住宅建築物の２階部分
１２  折曲り階段
１３  キッチン
１４  ダイニング
１５  リビング
１７  洗面室
１８  踊り場部
１９  Ｌ字形状部分
１９ａ  下部階段
１９ｂ  上部階段
２０  スキップフロア
２１  対面式キッチン台
２２  角部仕切り壁
２３ａ，２３ｂ，２３ｃ  腰壁
２４  ダイニングテーブル
２５  ダイニングテーブルの収納空間
３５  吹抜け部
４４  内側仕切り壁
４５  洗面台
４７  壁面収容凹部
５１  収納庫
【図１】
2010007413.tif 000003
【図２】
2010007413.tif 000004
【図３】
2010007413.tif 000005
【図４】
2010007413.tif 000006